(57)【要約】【課題】種々の形状・寸法の物品群を容易かつしっかりと包むことができ、開梱作業が面倒でない荷崩れ防止ネットを提供する。【解決手段】荷崩れ防止用ネット１は、ナイロン網１１の周囲を取り囲むナイロンロープ枠１２の一端に渡された２本のナイロンロープ１３，１４と、他端に渡された１本のナイロンロープ１５とを備えるネット本体１０と、ナイロンロープ１２〜１４、１２，１５を支持部とする様に上部、中央、下部に装着された右側ベルト２１〜２３及び左側ベルト３１〜３３とを備える。右側ベルト２１〜２３は、スルーリング２４〜２６と仮止め用面ファスナを備えた延長ベルト２７〜２９を備え、左側ベルト３１〜３３はバックル３４〜３６によって長さ調整可能とされると共に、仮止め用面ファスナと本止め用面ファスナとを備えている。【選択図】  図１
0003166592.tif 000002
【実用新案登録請求の範囲】
【請求項１】
広幅帯状のネット本体に、固縛用バンドを備えると共に、さらに、以下の構成を採用したことを特徴とする荷崩れ防止用ネット。
（１）前記ネット本体は、網と、この網の周囲を取り囲む様に形成されたロープ枠と、このロープ枠の長手方向一方端から網目複数個分をあけて上下方向に渡された一端側縦ロープと、同じくロープ枠の長手方向他方端から網目複数個分をあけて上下方向に渡された他端側縦ロープとを備えていること。
（２）前記固縛用バンドは、前記ロープ枠の長手方向一方端と前記一端側縦ロープとを支持部とする様に装着された一端側ベルトと、前記ロープ枠の長手方向他方端と前記他端側縦ロープとを支持部とする様に装着された他端側ベルトとから構成され、少なくとも前記ネット本体の上部及び下部に取り付けられていること。
（３）前記一端側ベルトは、前記ロープ枠の長手方向一方端及び前記一端側縦ロープをそれぞれの位置で巻き込む様にスルーリングと共に縫製によって取り付けられると共に、前記ロープ枠の縦枠部分よりもはみ出す方向に伸びると共に表面側に面ファスナが取り付けられた延長ベルトを備えていること。
（４）前記他端側ベルトは、端部にバックルが縫い込まれ、前記他端側縦ロープを巻き込む様に掛け渡すと共に、前記バックルで適宜長さに調整され得る構造とされ、裏面側に前記一端側ベルトの面ファスナと掛け止めし合う面ファスナを備え、表面側には、前記スルーリングに掛け渡して折り返したときに互いに掛け止めし合う面ファスナが取り付けられていること。
【請求項２】
さらに、以下の構成をも採用したことを特徴とする請求項１記載の荷崩れ防止用ネット。
（５）前記ネット本体は、前記一端側縦ロープとして、網目複数個分の間隔をおいて複数本が備えられ、前記一端側ベルトは複数本の一端側縦ロープと前記ロープ枠の前記一方の端の縦枠部分とをそれぞれ支持部とし、各支持部毎に前記スルーリングを備える様に取り付けられていること。
【請求項３】
さらに、以下の構成をも採用したことを特徴とする請求項１又は２記載の荷崩れ防止用ネット。
（６）前記一端側ベルト及び他端側ベルトは、前記ネット本体の高さ方向に、上部、下部並びにその間に位置する様に、少なくとも３本以上備えられていること。
【請求項４】
さらに、以下の構成をも採用したことを特徴とする請求項１〜３のいずれか記載の荷崩れ防止用ネット。
（７）前記ネット本体には、その高さ方向所定位置の長手方向に沿って網素材による筒状部を形成し、複数本の紐状部材を、前記筒状部の中に長手方向に張り渡す様に取り付けたこと。
（８）前記複数本の紐状部材には、少なくとも一本の紐状部材が他の紐状部材と目視により区別可能な形態上の差異を備えさせてあること。
【請求項５】
さらに、以下の構成をも採用したことを特徴とする請求項４記載の荷崩れ防止用ネット。
（９）前記筒状部は、少なくとも、前記ネット本体の上縁及び下縁のそれぞれに沿って形成され、各筒状部に前記複数本の紐状部材が張り渡されていること。
【考案の詳細な説明】
【技術分野】
【０００１】
本考案は、荷崩れ防止用ネットに関する。
【背景技術】
【０００２】
従来より、図９（Ａ）に示す様に、筒状の荷崩れ防止網１０を荷物の上から被せ、下端部のフック部材４０をパレット５０の外側のけたに引っかけ、上端部のバンド部材３１を引っ張って上側開口を絞って縮めた後、下端部のバンド部材３５を緊締し、荷物の下部を緊縛し、更に、中間部に設けたバンド部材３２〜３４を同様に絞って止め付ける方法が提案されている（特許文献１）。
【０００３】
また、図９（Ｂ）に示す様に、筒状で上縁及び下縁に弾性線材１４及び１６が全周に亘って通された荷崩れ防止ネット１０を用いて、荷物全体を覆った後、上縁弾性線材１４の四隅をそれぞれ４本のパレット柱部３４に引っ掛け、パレット台部３２の下面四隅から下方に突出するように設けた４本の台下掛け具３６のそれぞれに下縁弾性線材１６を引っ掛け、最後に、一対の上部閉鎖具１２ａと１２ｂとを互いに連結することにより、段積み荷物２０の上面を固定する方法の提案もある（特許文献２）。
【０００４】
さらに、図９（Ｃ）に示す様に、全体がネット状で、上端、中間、下端に紐リング１３、１４、１５を水平方向に設定し、上下は開口している荷崩れ防止ネット１０を、パレット上の荷物１２の上からかぶせ、紐リングの小リング２０間をなす環２２で連結する方法の提案もある（特許文献３）。
【０００５】
また、図９（Ｄ）に示す様に、周囲に沿って装着されたロープ２に複数の掛止手段３を付設した縦横伸縮自在の網目状のネット本体１を用いて、縦側を荷物Ｗの高さ方向に合わせて、荷物Ｗの外周に沿ってネット本体１を巻回し、一端側の上下の掛止手段３ａ，３ｃを荷物Ｗの上下端部にてネット本体１の他端寄りの適所に掛止し、他端側の掛止手段３ｆを荷物Ｗの下端部にて、ネット本体１の一端側と重なるようにロープ２を絞り込みながらネット本体１の一端寄りの適所に掛止させ、一端側の中間の掛止手段３ｂを荷物Ｗの中央部にて、ロープ２を絞り込みながらネット本体１の他端寄りの適所に掛止させる方法が提案されている（特許文献４）。
【０００６】
さらに、図９（Ｅ）に示す様に、シートカバー１で運搬物Ｃの周囲を巻回すると共に、把手３、面ファスナー４によって固定した後、運搬物Ｃの上側にネット１１をかぶせ、ネット１１の周囲に形成した被掛止部１２をシートカバー１上側縁部に形成した掛止部８に掛止する方法の提案もある（特許文献５）
【先行技術文献】
【特許文献】
【０００７】
【特許文献１】特開２００１−８０６６８（図４，図６）
【特許文献２】特開２００４−１８９３１０(図１，図２）
【特許文献３】特開２００８−１３３０２１（図２，図３）
【特許文献４】特開平９−２９０８５９（図５〜図７）
【特許文献５】特開２００４−１３１１４２（図１，図２）
【考案の概要】
【考案が解決しようとする課題】
【０００８】
特許文献１〜３は、筒状のネットを用いることから、被覆対象物の形状や大きさが異なると使えない場合があるという問題が生じる。
【０００９】
特許文献４は、巻き付けるタイプであるから、被覆対象物の形状や大きさに対する汎用性は高いが、ネット自体に引っ掛ける構造であり、ネット自体は伸縮性を有するものであるから、移送中の振動などによって被覆されている荷物にズレが生じるおそれがある。また、網目に引っ掛けた掛止手段を外す開梱作業が面倒である。
【００１０】
特許文献５は、荷崩れ防止ネット以外に、水平方向に巻き付けるシートカバーが必要になるという問題がある。
【００１１】
そこで、本考案は、種々の形状・寸法の物品群を容易かつしっかりと包むことができ、開梱作業が面倒でない荷崩れ防止ネットを提供することを目的とする。
【課題を解決するための手段】
【００１２】
上記目的を達成するためになされた本考案の荷崩れ防止用ネットは、広幅帯状のネット本体に、固縛用バンドを備えると共に、さらに、以下の構成を採用したことを特徴とする。
（１）前記ネット本体は、網と、この網の周囲を取り囲む様に形成されたロープ枠と、このロープ枠の長手方向一方端から網目複数個分をあけて上下方向に渡された一端側縦ロープと、同じくロープ枠の長手方向他方端から網目複数個分をあけて上下方向に渡された他端側縦ロープとを備えていること。
（２）前記固縛用バンドは、前記ロープ枠の長手方向一方端と前記一端側縦ロープとを支持部とする様に装着された一端側ベルトと、前記ロープ枠の長手方向他方端と前記他端側縦ロープとを支持部とする様に装着された他端側ベルトとから構成され、少なくとも前記ネット本体の上部及び下部に取り付けられていること。
（３）前記一端側ベルトは、前記ロープ枠の長手方向一方端及び前記一端側縦ロープをそれぞれの位置で巻き込む様にスルーリングと共に縫製によって取り付けられると共に、前記ロープ枠の縦枠部分よりもはみ出す方向に伸びると共に表面側に面ファスナが取り付けられた延長ベルトを備えていること。
（４）前記他端側ベルトは、端部にバックルが縫い込まれ、前記他端側縦ロープを巻き込む様に掛け渡すと共に、前記バックルで適宜長さに調整され得る構造とされ、裏面側に前記一端側ベルトの面ファスナと掛け止めし合う面ファスナを備え、表面側には、前記スルーリングに掛け渡して折り返したときに互いに掛け止めし合う面ファスナが取り付けられていること。
【００１３】
（１）〜（４）の構成をも採用した本考案の荷崩れ防止用ネットによれば、一端側ベルトの表面側の面ファスナと、他端側ベルトの裏面側の面ファスナとを掛け止めすることによって、物品群に巻き付けたときの仮止めをすることができる。こうして仮止めした後に、一端側ベルトのスルーリングに他端側ベルトを通して折り返してしっかりと物品群を締め上げた後、他端側ベルトの表面側面ファスナ同士の掛け止めによって固定作業を終えることができる。開梱作業においては、他端側ベルトの面ファスナの掛け止めを解いてベルトをスルーリングから抜き取るだけでよい。よって、梱包から開梱までの作業が容易であり、しかも、ネット本体の網目の変形によって種々の形状・寸法の物品群をしっかりと包むことができ、移送中や保管中の荷崩れを的確に防止することができる。
【００１４】
なお、本考案の荷崩れ防止用ネットには、さらに、以下の構成をも採用するとよい。
（５）前記ネット本体は、前記一端側縦ロープとして、網目複数個分の間隔をおいて複数本が備えられ、前記一端側ベルトは複数本の一端側縦ロープと前記ロープ枠の前記一方の端の縦枠部分とをそれぞれ支持部とし、各支持部毎に前記スルーリングを備える様に取り付けられていること。
【００１５】
（５）の構成をも採用することにより、本考案の荷崩れ防止用ネットは、ネット本体の長さよりも短い巻き付け長さであってもしっかりとした梱包状態に取り付けることができる。
【００１６】
また、本考案の荷崩れ防止用ネットには、さらに、以下の構成をも採用するとよい。
（６）前記一端側ベルト及び他端側ベルトは、前記ネット本体の高さ方向に、上部、下部並びにその間に位置する様に、少なくとも３本以上備えられていること。
【００１７】
（６）の構成をも採用することにより、本考案の荷崩れ防止用ネットは、上下及び中間部分でしっかりと締め付けた状態に物品群を梱包することができる。
【００１８】
また、本考案の荷崩れ防止用ネットには、さらに、以下の構成をも採用するとよい。
（７）前記ネット本体には、その高さ方向所定位置の長手方向に沿って網素材による筒状部を形成し、複数本の紐状部材を、前記筒状部の中に長手方向に張り渡す様に取り付けたこと。
（８）前記複数本の紐状部材には、少なくとも一本の紐状部材が他の紐状部材と目視により区別可能な形態上の差異を備えさせてあること。
【００１９】
ここで、「目視により区別可能な形態上の差異」としては、例えば、紐状部材同士を色違いとしたり、紐状部材の太さや素材を変えるなどによって実現することができる。これら（７），（８）の構成をも備えることにより、例えば、梱包状態とした後に、任意の箇所において一本の紐状部材を筒状部の網目を通して引き出し、別の箇所で他の紐状部材を筒状部の網目を通して引き出すことにより、筒状部の高さでネット本体を絞り上げることができる。そして、こうして引き出した紐状部材同士を結わえる様にすることで、梱包時のネットの膨らみを処理することができる。筒状部は全体が網目なので、どこからでも紐状部材を引き出すことができるので、梱包される物品の形状に対応した処理を容易に実施することができる。
【００２０】
この（７），（８）の構成をも備えた本考案の荷崩れ防止用ネットには、さらに、以下の構成をも採用するとよい。
（９）前記筒状部は、少なくとも、前記ネット本体の上縁及び下縁のそれぞれに沿って形成され、各筒状部に前記複数本の紐状部材が張り渡されていること。
【００２１】
ネット本体の上縁及び下縁をロープ枠の外側で折り曲げた状態となる様にネット本体を編み上げることで、容易に筒状部を形成することができる。また、この様に構成したネット本体を上下に並べて一体化すれば、中間部分にも絞り機能を設けた荷崩れ防止様ネットとすることもできる。
【考案の効果】
【００２２】
本考案の荷崩れ防止用ネットによれば、種々の形状・寸法の物品群を容易かつしっかりと包むことができ、開梱作業も面倒でない。
【図面の簡単な説明】
【００２３】
【図１】実施例１の荷崩れ防止ネットの正面図である。
【図２】実施例１の荷崩れ防止ネットの背面図である。
【図３】実施例１の荷崩れ防止ネットを示し、（Ａ）は平面図、（Ｂ）は底面図、（Ｃ）は左側面図、（Ｄ）は右側面図である。
【図４】実施例１の荷崩れ防止ネットの要部拡大図である。
【図５】実施例１の荷崩れ防止ネットの要部拡大図である。
【図６】実施例１の荷崩れ防止ネットの使用状態における要部拡大図である。
【図７】実施例２の荷崩れ防止ネットを示す正面図、背面図及び要部の拡大図からなる構造説明図である。
【図８】実施例３の荷崩れ防止ネットの使用方法を示す斜視図である。
【図９】従来技術の説明図である。
【考案を実施するための形態】
【００２４】
以下、本考案を実施するための形態を実施例で説明する。
【実施例１】
【００２５】
実施例１の荷崩れ防止用ネット１は、図１〜図６に示す様に、広幅帯状のネット本体１０に、固縛用バンド２０を備えたものである。
【００２６】
ネット本体１０は、長方形のナイロン網１１と、このナイロン網１１の周囲を取り囲む様に長方形に形成されたナイロンロープ枠１２と、ナイロンロープ枠１２の長手方向一方の端（正面図右端）から網目８個分の間隔をあけて上下方向に渡された２本のナイロンロープ１３，１４と、他方の端部（正面図左端）から網目３個分の位置に上下方向に渡された１本のナイロンロープ１５とを備えている。
【００２７】
固縛用バンド２０は、正面図右端側にナイロンロープ１２，１３，１４を支持部とする様に装着された上部、中央、下部の３本の右側ベルト２１，２２，２３と、正面図左端側にナイロンロープ１２，１５を支持部とする様に装着された上部、中央、下部の３本の左側ベルト３１，３２，３３とから構成される。
【００２８】
右側ベルト２１〜２３は、網目１個分の幅を有し、３本のナイロンロープ１２，１３，１４をそれぞれの位置で巻き込む様に縫製されて取り付けられている。各ナイロンロープ１２，１３，１４を巻き込む様に縫製された部分には、それぞれスルーリング（角丸環）２４，２５，２６も巻き込まれている。また、右側ベルト２１〜２３の右端には、延長ベルト２７，２８，２９が縫製によって取り付けられている。この延長ベルト２７，２８，２９の表面側には、面ファスナ（メス）が縫いつけられている。
【００２９】
左側ベルト３１〜３３も網目１個分の幅を有する。左側ベルト３１〜３３には、端部にバックル（長さ調整用金具）３４，３５，３６が縫い込まれ、ナイロンロープ１２，１５を巻き込む様に掛け渡すと共に、バックル３４〜３６で適宜長さに調整されている。また、左側ベルト３１〜３３の表面側には先端部分を除き、ほぼ全長に渡って面ファスナ（メス）が縫いつけられている。そして、先端側の表面と根元側の裏面に面ファスナ（オス）が縫いつけられている。
【００３０】
実施例１の荷崩れ防止用ネット１は、図６に示す様に、多段積みされた物品群４０の側方から一部上面にも引っ掛かる様に巻き付けて使用する。この際、右側ベルト２１〜２３の延長ベルト２７〜２９の表面側の面ファスナ（メス）と、左側ベルト３１〜３３の根元側裏面の面ファスナ（オス）とを係合させることによって仮止め状態としながら作業をすることができる。そして、巻き付け作業が完了したら、左側ベルト３１〜３３の内の１本を仮止め状態から外し、右側ベルト２１〜２３のスルーリング２４〜２６に挿入して締め上げ、面ファスナの作用で左側ベルト３１〜３３をしっかりと固定する。この作業を次々と３本分実施すれば、多段積みされた物品群４０の荷崩れが防止された状態にネットで覆うことができる。
【００３１】
図６に示す様に、段差がある部分も、ネット自体の伸びを利用してしっかりと包み込むことができる。
【実施例２】
【００３２】
実施例２の荷崩れ防止用ネット２は、図７に示す様に、全体としては実施例１の荷崩れ防止用ネットに対し、さらに、２本のロープ５１，５２を備えさせたものである。より詳しくは、拡大図に示す様に、ネット本体１０の上縁及び下縁に網目１個分の二重部分を形成し、長手方向に伸びる網目の筒状部６１，６２を備えさせ、この筒状部６１，６２の中に２本のロープ５１，５２を長手方向に張り渡す様に備えさせたものである。そして、これら２本のロープ５１，５２は、色違い（例えば、赤と黒、赤と白など）のものを用いて目視により直ちに区別できる様にしてある。
【００３３】
筒状部６１，６２は、上縁及び下縁をロープ枠１２の外側で折り曲げた状態となる様にネット本体１０を編み上げることで、容易かつ頑丈に筒状部を形成することができる。
【００３４】
この実施例２の荷崩れ防止用ネット２は、図８に示す様に、荷物に巻き付けて固縛ベルトを締めて固縛した後に、２本のロープ５１，５２を正面と背面でそれぞれ引き出して結わえる様にすることにより、上段の小型の箱もしっかりと締まった状態で包むことができる。
【００３５】
以上、考案を実施するための実施例を説明したが、本考案は、これに限定されるものではなく、その要旨を逸脱しない範囲内における種々の変更が可能である。
【００３６】
例えば、面ファスナの組み合わせは実施例に限らず、オス・メスを逆にしてもよいし、雌雄混合タイプの面ファスナとしておいてもよい。また、左右のベルトは、上部、下部とその中間に複数本の構成にしても構わない。さらに右側ベルトを支持するためのナイロンロープは、ロープ枠以外に１本でもよいし、３本以上としても構わない。
【産業上の利用可能性】
【００３７】
多段積みされた物品群の移送・保管における荷崩れを防止することができる。
【符号の説明】
【００３８】
１・・・荷崩れ防止用ネット（実施例１）
２・・・荷崩れ防止用ネット（実施例２）
１０・・・ネット本体
１１・・・ナイロン網
１２・・・ナイロンロープ枠
１３，１４，１５・・・ナイロンロープ
２０・・・固縛用バンド
２１，２２，２３・・・右側ベルト
２４，２５，２６・・・スルーリング（角丸環）
２７，２８，２９・・・延長ベルト
３１，３２，３３・・・左側ベルト
３４，３５，３６・・・バックル（長さ調整用金具）
４０・・・多段積みされた物品群
５１，５２・・・ロープ
６１，６２・・・筒状部
【図１】
0003166592.tif 000003
【図２】
0003166592.tif 000004
【図３】
0003166592.tif 000005
【図４】
0003166592.tif 000006
【図５】
0003166592.tif 000007
【図６】
0003166592.tif 000008
【図７】
0003166592.tif 000009
【図８】
0003166592.tif 000010
【図９】
0003166592.tif 000011